(57)【要約】【課題】  強盗などにドアを開けることを強要されるような場合であっても、強盗に気づかれることなく警備会社或いは警察に通報を行うことができ、真正な操作者の安全を確保することが可能になる入室管理装置を提供する。【解決手段】ドアに設けた錠前装置１と、錠前装置１を開錠させるための情報を入力するキーボード２と、キーボード２から入力された情報が予め登録されたものか否かを判別する制御部４と、制御部４からの信号に基いて錠前装置１を開錠する錠前制御部３と、制御部４からの信号に基いて警報信号を警備会社または警察へ発信する通報部６とを備え、錠前制御部３は、制御部４がキーボード２から入力された情報が予め登録された第１の情報又は第２の情報であると判断した場合、錠前装置１を開錠し、通報部６は、制御部４がキーボード２から入力された情報が予め登録された第２の情報であると判断した場合、警報信号を警備会社または警察に発信する。【選択図】図１
2007164714.tif 000002
【特許請求の範囲】
【請求項１】
ドアに設けた錠前装置と、
前記錠前装置を開錠させるための情報を入力するキーボードと、
前記キーボードから入力された情報が予め登録されたものか否かを判別する入力判断部と、
前記入力判断部からの信号に基いて前記錠前装置を開錠する錠前制御部と、
前記入力判断部からの信号に基いて警報信号を警備会社または警察へ発信する通報部と、を備え、
前記錠前制御部は、前記入力判断部が前記キーボードから入力された情報が予め登録された第１の情報又は第２の情報であると判断した場合、前記錠前装置を開錠し、
前記通報部は、前記入力判断部が前記キーボードから入力された情報が予め登録された第２の情報であると判断した場合、前記警報信号を警備会社または警察に発信する入室管理装置。
【請求項２】
更に、前記通報部が前記警報信号を発信したことを所定の点灯パターンによって示すランプを備える請求項１に記載の入室管理装置。
【請求項３】
前記ランプの点灯は、前記入力判断部により制御され、
前記所定の点灯パターンは、前記入力判断部内の記憶手段に記憶した点灯パターン情報の変更により変更可能である請求項２に記載の入室管理装置。
【請求項４】
更に、前記キーボードを操作する操作者を特定する操作者特定部を備え、
前記入力判断部は、前記キーボードから入力された情報が、前記操作者特定部が特定した操作者毎に予め登録された前記第１の情報又は前記第２の情報であるか否かを判断する請求項１から３のいずれか１項に記載の入室管理装置。
【請求項５】
前記ドア周辺を撮影するカメラ部と、
前記カメラ部からの撮影情報によって識別した予め登録された操作者以外の者に対して攻撃を行う攻撃部と、を備え、
前記攻撃部は、前記入力判断部が前記キーボードから入力された情報が予め登録された第２の情報であると判断した場合、前記予め登録された操作者以外の者に対して攻撃を行う請求項１から４のいずれか１項に記載の入室管理装置。
【発明の詳細な説明】
【技術分野】
【０００１】
この発明は、ビルや集合住宅などの入退室を管理する入室管理装置に関する。
【背景技術】
【０００２】
従来、個人認証などを用いた入退室管理装置が各種提案されている。また、この入退室管理装置などに用いる個人認証方法としては、所謂なりすましに対する対策などを施したものが知られている（例えば、特許文献１参照）。
即ち、これは、認証されるべき人物を個人認証装置、カードなどを用いて認証・特定するとともに、この認証が行われている認証者の現在位置(場所)と開錠すべき人物（本来開錠すべき真正な利用者）が予め設定した位置(場所)とを比較することにより、本来使用すべき正当な操作者が操作(開錠操作)しているか否かを判断している。
この個人認証方法では、認証者と真正な利用者との間の物理的(地理的な)距離が予め設定された基準距離内に収まっているか否かを判断し、基準距離よりも離れている場合には、真正な利用者本人の利用ではない（本来開錠すべき人物が操作していない）と判断している。
【特許文献１】特開２００２−１１７３７７号公報
【発明の開示】
【発明が解決しようとする課題】
【０００３】
しかしながら、以上のような認証方法によれば、例えばビルなどでの認証による入室の際に、真正な操作者が強盗などにより脅迫され、開錠を迫られた場合には、前述のような認証方法では防ぎようがなく開錠せざるを得ないので、なりすましなどによる不正使用(不正入室)の防止手段としてはなんら機能しない。
【０００４】
本発明は、上記事情に鑑みてなされたもので、強盗などによりドアを開けることを強要されるような場合であっても、強盗に気づかれることなく警備会社或いは警察に通報を行うことができ、真正な操作者の安全を確保することが可能となる入室管理装置を提供することを目的とするものである。
【課題を解決するための手段】
【０００５】
以上の課題を解決するために、本発明の入室管理装置は、ドアに設けた錠前装置と、前記錠前装置を開錠させるための情報を入力するキーボードと、前記キーボードから入力された情報が予め登録されたものか否かを判別する入力判断部と、前記入力判断部からの信号に基いて前記錠前装置を開錠する錠前制御部と、前記入力判断部からの信号に基いて警報信号を警備会社または警察へ発信する通報部と、を備え、前記錠前制御部は、前記入力判断部が前記キーボードから入力された情報が予め登録された第１の情報又は第２の情報であると判断した場合、前記錠前装置を開錠し、前記通報部は、前記入力判断部が前記キーボードから入力された情報が予め登録された第２の情報であると判断した場合、前記警報信号を警備会社または警察に発信するものである。この構成により、予め登録された暗証番号などの入力によりドアが開錠されるため、強盗などに気づかれることなく警察、警備会社に通報することができる。
【０００６】
また、本発明の入室管理装置において、更に、前記通報部が前記警報信号を発信したことを所定の点灯パターンによって示すランプを備えるものである。この構成により、強盗に気づかれることなく操作者に警察、警備会社への通報を知らせることができる。
【０００７】
また、本発明の入室管理装置において、前記ランプの点灯は、前記入力判断部により制御され、前記所定の点灯パターンは、前記入力判断部内の記憶手段に記憶した点灯パターン情報の変更により変更可能である。この構成により、ランプの点灯パターンにより強盗が警察、警備会社に通報されたことを認知しづらくすることができる。
【０００８】
また、本発明の入室管理装置において、更に、前記キーボードを操作する操作者を特定する操作者特定部を備え、前記入力判断部は、前記キーボードから入力された情報が、前記操作者特定部が特定した操作者毎に予め登録された前記第１の情報又は前記第２の情報であるか否かを判断するものである。これによりキーの操作パターンが操作者ごとに異なるため、強盗がキー入力により開錠とともに警察、警備会社に通報がされたことを判別しづらくすることができる。
【０００９】
また、本発明の入室管理装置において、前記ドア周辺を撮影するカメラ部と、前記カメラ部からの撮影情報によって識別した予め登録された操作者以外の者に対して攻撃を行う攻撃部と、を備え、前記攻撃部は、前記入力判断部が前記キーボードから入力された情報が予め登録された第２の情報であると判断した場合、前記予め登録された操作者以外の者に対して攻撃を行うものである。攻撃手段は電撃、催涙ガスによる攻撃等である。これにより操作者が強盗から逃避する可能性を作るとともに、強盗を検挙する機会を高めることができる。
【発明の効果】
【００１０】
本発明によれば、強盗などに開錠を強要された場合にも、真正な操作者の身体などの安全を確保することができる入室管理装置を提供できる。
【発明を実施するための最良の形態】
【００１１】
以下、本発明の第１の実施形態について、添付図面を参照しながら詳細に説明する。
（第１実施形態）
図１は、本発明の第１の実施形態に係る入退室管理装置を示すものであり、この入退室管理装置は、管理すべきビル（或いは、マンションなどの集合住宅などでもよい）の室内への出入口のドアＤに取付けた（錠前を構成する）施錠装置１と、この施錠装置１の開錠及び閉錠を操作するためにドアＤを設置する壁面に設けたキーを備える入力装置２と、ドアＤの施錠装置１に付設した錠前制御部３と、（以下、ビル内の適宜の場所に設け施錠装置１と電気的に接続した）制御部４、記憶部５、通報部６及び警告手段７とを備えている。
【００１２】
このうち、施錠装置１は、ドアＤの開閉動作を電磁力で行うものであり、入力装置２でのキー操作を介した錠前制御部３により、ロック（施錠）状態とアンロック（開錠）状態とを行うように構成されている。このため、施錠装置１は、錠前制御部３の出力と電気的に接続されている。
【００１３】
入力装置２は、施錠装置１の開錠のために予め設定された暗証番号、つまり第１の情報又は第２の情報を入力するものであり、例えば図２に示すように、数字（この数字とともに文字や記号を含んでもよい）などを入力するために、テンキー（或いは数字のみ、その他の各種キーなどでもよい）２０をドアＤ近くの壁面ドア（或いはアＤの表面）などに取付けている。このテンキー２０などによりキー操作を行い、後述する所定の暗証番号などを入力すると錠前制御部３を介して施錠装置１を開錠できるようになっている。このため、入力装置２は、テンキー２０の出力が錠前制御部３の入力に接続されている。なお、本実施形態の入力装置２では、予め２種類設定された、数字の組み合わせ（これを、「暗証番号」とよぶ）の何れか一方を入力すると、開錠するようになっているが、この使用する数字は、以下のように「平常状態」と「緊急状態」とで使い分けるようになっている。
【００１４】
即ち、本実施形態の場合、予め設定された平常時に使用する暗証番号(例えば、本実施形態での操作者は「１２３４」と設定する。以下、この番号を「平常番号」とよぶ。)と、脅迫その他の原因で身体や生命に危険が迫るような事態（緊急事態）が発生したときに使用するために設定された、もう一つの暗証番号（例えば、本実施形態での操作者は「１１０９９」と設定する。以下、この番号を「緊急番号」とよぶ。）との２つの番号を有している。これにより、いずれの番号でも開錠できるように構成されており、第１の情報である平常番号を入力する場合には錠前制御部３で第１パターンの信号を発生するとともに、第２の情報である緊急番号を入力する場合には錠前制御部３で第２パターンの信号を発生するようになっている。従って、テンキー２０で平常番号を入力すると、錠前制御部３から第１パターンの信号が制御部４に出力される一方、緊急番号を入力すると、錠前制御部３から第２パターンの信号が制御部４に出力される。
【００１５】
但し、この緊急番号については、緊急事態を誤検出することなく確実に判断できるようにするため、平常状態の暗証番号と異なり、１桁多く設定された番号を使用しているが、真正な操作者(以下、「使用者」とよぶ)の身体の安全などを優先して、つまり、警察へ通知されることの疑いなどを強盗や脅迫者などが抱かせることがないようにするため、同じ桁数に設定するようにしてもよい。その場合、この緊急番号は、勿論、同ビル内の他の部屋（テナント）の使用者（或いは居住者）などが使用する暗証番号と一致するのを避けるような構成することが、必要である。
【００１６】
また、この入力装置２には、図２に示すように、テンキー２０の他に、第１ランプ２１〜第３ランプ２３が設置されており、平常時に暗証番号（つまり、平常番号）を入力すると、第１ランプ２１のみが点灯するが、緊急事態の時に緊急番号を入力して自動的に警備会社Ｓや警察署Ｐに通報されたときには、確認のために第２ランプ２２、第３ランプ２３も点灯するようになっている。これにより、強盗などに知られることなく、警備会社Ｓなどへの通知完了を使用者に知らせることができるので、危険な状態にある使用者に安心感を与えることができるようになっている。なお、第１ランプ２１〜第３ランプ２３の点灯パターンは、制御部４により制御され、記憶部５に記憶した点灯パターンの変更により随時変更可能に構成されている。
【００１７】
錠前制御部３は、開錠装置２のテンキー２０を操作して数字などの番号を入力すると、この入力した番号が予め設定されたもの（暗証番号、つまり通常番号と緊急番号）と同一か否かを判断し、同一と判断した場合には、開錠装置２を制御して開錠させるように構成されている。特に、この錠前制御部３は、予め設定された固有の番号(前述する緊急番号)が入力された場合には、緊急信号を制御部４へ出力するようになっている。このため、錠前制御部３は、入力が開錠装置２に接続されているとともに、出力が制御部４の入力に接続されている。
【００１８】
制御部４は、入力判断部を構成するものであり、開錠装置２でテンキー２０を操作して入力する数字が、前述した平常番号或いは緊急番号に該当するか否かを判断し、平常番号と判断したときには特に信号を出力することはないが、緊急番号を入力したことにより緊急信号を入力すると、通報部６及び警告手段７を動作させるための第１制御信号及び第２制御信号を出力するようになっている。そのため、この制御部４には、記憶部５が設けられており、この入退室管理装置を設置してあるビルなどの管理者が、予め図示外の登録手段により、使用者から登録申請された平常番号及び緊急番号をこの記憶部５に格納させておくようになっている。
また、この制御部４には、いずれも図示しないが、キー２を操作する使用者を特定するとともに使用者の顔を記憶部５へ記憶する操作者特定部と、この操作者特定部で特定した使用者ごとに平常番号（第１パターンの信号を出力する）、及び緊急番号（第２パターンの信号を出力する）を設定して記憶部５に記憶する手段とを備えている。なお、この平常番号及び緊急番号の記憶部５への設定及び登録は、使用者自身が行うように構成してもよい。ここで、この使用者とは、前述したように、そのドアＤから室内（セキュリティエリア）に入ることが認められた正当な権限を持つ真正な操作者をさすものとする。
【００１９】
通報部６は、制御部４から入力する第１制御信号により作動し、警報信号を出力して固定電話回線又は無線通信回線Ｌにより接続された警備会社Ｓ(或いは警察署Ｐなどでもよい)に緊急事態を知らせるように構成されている。この通報は、例えば警備会社Ｓへ電話で行う場合、「○○ビルの△△号室で緊急事態です。」といった固定メッセージが好ましいが、ＦＡＸでの定型文送付、警備会社Ｓのアラームを起動する信号でも良い。また、インターネットを用いて、メール等により緊急であることを警備会社Ｓに送付したり、警備会社Ｓのパソコン上で警報を表示し、音を鳴らしても良い。ここでは警備会社Ｓへの通報を列挙したが、警察Ｐへ１１０番通報するのも同様の方法で可能である。
【００２０】
警告手段７は、緊急事態が発生したことを、警備会社Ｓや警察署Ｐなどに知らせる以外に、例えばビル内の管理人などに通知するものであり、本実施形態では、同一ビル内の管理室に設けた警告ランプが点灯又は点滅するようになっているが、これ以外に、例えば緊急事態を告げるサイレンなどを作動させるようにしてもよい。また、例えば同一ビルの外壁面などに警告ランプなどを設け、それを点灯又は点滅させるようにしてもよい。
【００２１】
次に、本実施形態に係る入退室管理装置の作用について説明する。
例えば、強盗などに脅迫されたものがセキュリティエリアの入り口（ドアＤ）まできて、開錠を迫られたとする。このような緊急事態の場合、開錠動作とともに警備会社Ｓへの通報を行うため、緊急番号、つまりドアＤ近くの壁面に設けた入力装置２であるテンキーの入力番号を、あらかじめ例えば「１１０９９」ときめておき、図２に示すテンキーから「１１０９９」を入力する。
【００２２】
このようにして、テンキー２０で特定の数字を入力操作すると、操作した数字に応じて入力装置２から出力される第２パターンの信号を制御部４が入力し、この制御部４では緊急事態であることを判断し、錠前制御部４を制御して施錠装置１を開錠とするとともに通報部３に信号を出して、電話回線またはインターネット回線で接続されている警備会社Ｓ（或いは警察署Ｐ）に異常を告げる。ここでは、例えば警備会社Ｓへ電話で行う場合、「○○ビルの△△号室で緊急事態です。」といった固定メッセージが流される。警察７へ１１０番通報するのも同様の方法で可能である。また、同時に、警告手段７のランプも点灯または点滅させる。
また、この緊急番号を入力することにより、緊急事態であることが警備会社Ｓへ通報されると、制御部４からの出力信号が第１ランプ２１〜第３ランプ２３へ出力され、すべてのランプが点灯するので、強盗などに知られることなく、警備会社への通知完了を使用者に知らせることができる。
【００２３】
（第２実施形態）
以下、本発明の第２の実施形態について、図面を参照しながら詳細に説明する。なお、本実施形態において、第1の実施形態と同一部分は同一符号を付して重複説明を避ける。
本実施形態の入退室管理装置は、施錠装置１と、入力装置２と、錠前制御部３と、制御部４と、記憶部５と、通報部６と、警告手段７とのほかに、人物認証部８と、カメラ９と、攻撃部１０とを備えている。
【００２４】
人物認証部８は、操作者がドアＤの近くに近づくだけで、その操作者を自動的に認証動作することが可能となるものであり、換言すれば、強盗などに知られることなくその操作者の自動認証動作を行うことが可能となるように構成されている。本実施形態の人物認証部８は、ＲＦタグ用のタグリーダで構成されており、予め使用者の体の一部にＲＦタグを取付けておき、これをタグリーダで読取るようになっている。なお、この人物認証部８のリーダで読取る対象としては、これ以外に、例えばＩＣカード、磁気カードなどでも良い。
【００２５】
カメラ９は、ドアＤの近傍に設置しており、ドアＤの開錠動作を行う操作者などを撮影して予め登録されている使用者を識別するようになっている。本実施形態の場合、ドアＤの開錠動作を行う操作者とこの近くにいる強盗などとを撮影し、その操作者の顔が画像認識によりこの中からあらかじめ登録してある使用者の顔と一致するか否かを識別することにより、使用者ではない、つまり真正な操作者でない強盗などであるかを判別する。なお、ドアＤの施錠装置１の使用者が複数いる場合にはその全員を登録しておくとともに、施錠装置１の使用者以外のものであっても、例えば仕事上の関係者など善良な関係者が同伴する場合もあるので、強盗などでない限り攻撃部１０が作動するのを防止する安全装置などの適宜手段を付設しておくのが好ましい。例えば、ドアＤの施錠装置１の近傍に安全装置用のボタンなどを設けておき、登録者以外の同伴者がいる場合には、開錠動作とともに安全装置を操作し、攻撃部１０が作動しないようにするようにしてもよい。
【００２６】
攻撃部１０は、例えば強盗につかまっている使用者、つまり真正な操作者に逃げる機会を与えることができるようにするため、強盗などとして認識されたものに催涙ガス等、一時的なダメージを与えるものであって、攻撃するのに好ましいもの、例えば弱い電撃等でも良い。なお、この攻撃部１０は、入力装置３で緊急番号を入力し、かつ、カメラ９で撮影した画像内に予め登録した使用者など以外のものを認識しない限り作動しないようになっており、善良な同伴者などが攻撃されるのを防止している。
【００２７】
次に、本実施形態の作用について説明する。
例えば、強盗などに脅迫された施錠装置1の使用者が、セキュリティエリアの入り口（ドアＤ）まできて、開錠を迫られたとする。このような緊急事態の場合、図２に示すテンキーから緊急番号の「１１０９９」を入力する。
すると、この緊急番号を入力した入力装置２から緊急信号が出力されるとともに、人物認証部８のＲＦタグリーダからは施錠装置１を操作する使用者、つまり真正な操作者であることが検出されると、検出信号が制御部４に出力される。また、カメラ９によりドアＤの近傍にいる使用者とその近傍の強盗などのいる領域が撮影され、その撮影信号が制御部４に出力される。
【００２８】
これにより、制御部４は、緊急番号に対応する信号（第２パターンの信号）を錠前制御部３から入力したことから緊急事態であると判断し、警告手段７のランプを点灯または点滅させるとともに、入力装置２の第１ランプ２１〜第３ランプ２３も点灯する。さらに、制御部４から通報部６へ第１制御信号が出力され、通報部３からは電話回線またはインターネット回線Ｌで接続されている警備会社Ｓ（或いは警察署Ｐ）に異常を告げる信号が出力されることにより、緊急事態であることを知らせる固定メッセージが流される。
また、制御部４からの信号で、錠前制御部３を制御して施錠装置１を開錠とするとともに、攻撃部１０を作動させるので、このような攻撃を与えることで、強盗につかまっている使用者に逃げる機会を与えることができる。
【００２９】
従って、本実施形態によれば、強盗に強要されて暗証番号(この場合には、緊急番号)を打ち込んでも、ドアＤが開錠し、同時に警備会社等に連絡されるので、強盗に脅迫されている真正な操作者の安全を確保しつつ、外部への連絡を取ることができる。しかも、攻撃部１０からの催涙ガスなどが強盗などに噴射されるので、強盗などがひるんでいる隙に逃げ出すこともでき、より高い安全が確保される。
【００３０】
なお、本発明は上述した実施形態に何ら限定されるものではなく、その要旨を逸脱しない範囲において種々の形態で実施し得るものである。
【産業上の利用可能性】
【００３１】
本発明の入室管理装置は、強盗などにドアを開けることを強要されるような場合であっても、強盗に気づかれることなく警備会社或いは警察に通報を行うことができ、同時に操作者の安全を確保することができる効果を有し、安全性の高い入退室管理装置などを提供できる。
【図面の簡単な説明】
【００３２】
【図１】本発明の第１の実施形態を示す構成ブロック図
【図２】本発明の第１、第２実施形態に用いるキーの部分の詳細図
【図３】この発明の第２の実施形態を示す構成ブロック図
【符号の説明】
【００３３】
１  施錠装置
２  入力装置
３  錠前制御部
４  制御部（入力判断部）
５  記憶部(記憶手段)
６  通報部
７  ランプ（警告手段）
８  人物認証部
９  カメラ
１０  攻撃部
Ｄ  ドア
Ｐ  警察署
Ｓ  警備会社
【図１】
2007164714.tif 000003
【図２】
2007164714.tif 000004
【図３】
2007164714.tif 000005